(57)【要約】      （修正有）【課題】留め具に関し、構造物の開口部を通過可能な傾斜状態にナットを保持した基部を構造物の開口部から挿入した上、当該開口部から雄ネジ部を挿入することで、ナットを開口部と平行に揺動した上、当該ナットの雌ネジ部に雄ネジ部をねじ込むことができるようにしたものである。【解決手段】ナット90は、構造物、例えばＣ形鋼の開口部を通過可能な傾斜状態に保持された状態で、構造物、例えばＣ形鋼内の中空部内に挿入され、構造物、例えばＣ形鋼の開口部を通して、基部80の開放部101側から雄ネジ部、例えばボルトを挿入することにより、開口部と平行に揺動して、雌ネジ部91が開口部に臨み、雄ネジ部、例えばボルトのねじ込み操作により、当該雄ネジ部、例えばボルトと雌ネジ部91が螺合し、相手部材、例えば太陽電池モジュールを固定する。【選択図】図１
2011163476.tif 000002
【特許請求の範囲】
【請求項１】
断面略Ｃ字状の構造物に相手部材を固定するための留め具であって、
前記留め具は、
前記構造物の開口部から挿入し、短辺が前記開口部の幅より短い基部と、
前記基部内に挿入され、外周の直径が前記開口部の幅より長く、内周に雌ネジ部を有したナットとからなり、
前記基部は、
前記ナット及び雄ネジ部の挿入を可能とする開放部を備え、
前記ナットは、
前記基部の開放部から挿入後、前記構造物の開口部を通過可能な傾斜状態に保持された状態で、前記構造物内の中空部内に挿入され、
前記構造物の前記開口部を通して、前記基部の前記開放部側から前記雄ネジ部を挿入することにより、前記開口部と平行に揺動して、前記雌ネジ部が前記開口部に臨み、
前記雄ネジ部のねじ込み操作により、当該雄ネジ部と前記雌ネジ部が螺合し、前記相手部材を固定することを特徴とする留め具。
【請求項２】
前記基部の外周面には、
前記構造物の前記開口部の開口縁に係止する係止爪を備えたことを特徴とする請求項１に記載の留め具。
【請求項３】
前記基部には、
当該基部を前記構造物の前記中空部内に挿入した状態で、前記開口部に臨む操作摘みを備えたことを特徴とする請求項１又は請求項２に記載の留め具。
【請求項４】
前記基部には、
前記ナットが揺動する際に弾性的に当接する制動部を備えたことを特徴とする請求項１〜３のいずれか１項に記載の留め具。
【請求項５】
前記基部の内側面には、
前記ナットを前記傾斜状態に仮止めする仮止め部を備えたことを特徴とする請求項１〜３のいずれか１項に記載の留め具。
【発明の詳細な説明】
【技術分野】
【０００１】
この発明は、例えば屋根に設置される長尺なＣ形鋼等の構造物に、太陽電池モジュール等の相手部材を固定するための留め具に関し、構造物の開口部を通過可能な傾斜状態にナットを保持した基部を構造物の開口部から挿入した上、当該開口部から雄ネジ部を挿入することで、ナットを開口部と平行に揺動した上、当該ナットの雌ネジ部に雄ネジ部をねじ込むことができるようにしたものである。
【背景技術】
【０００２】
従来、基部にナットを軸部を介して回転可能に支持し、ナットが直立した状態で取付板に穿設された透孔に差し込み、その後、透孔を通して挿入されたボルトでナットを水平な状態に回転させることができるようにした留め具が知られている（特許文献１の段落番号「０００９」〜「００１２」、図１、図４、図６及び図７参照）。
上記した従来のナットには、ボルトの先端部に押された際に、ナットに回転方向の力を作用させるためのガイド斜面を設けていた（特許文献１の段落番号「００１２」及び図７参照）。
【先行技術文献】
【特許文献】
【０００３】
【特許文献１】特許4156404号公報
【発明の概要】
【発明が解決しようとする課題】
【０００４】
しかし、上記した従来の留め具では、ナットが直立した状態から不用意に回転するおそれがあるという第１の問題点があった。
また、上記した従来の留め具では、ナットを直立した状態で透孔に挿入するので、ガイド斜面を設けたり、又、ナットを軸部を介して支持する必要があったので、構造が複雑になり、又、既存のナットを利用できないという第２の問題点があった。
【０００５】
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
すなわち、請求項１に記載の発明は、構造物の開口部を通過可能な傾斜状態にナットを保持した基部を構造物の開口部から挿入した上、当該開口部から雄ネジ部を挿入することで、ナットを開口部と平行に揺動した上、当該ナットの雌ネジ部に雄ネジ部をねじ込むことができるようにしたものである。
【０００６】
例えば、請求項１に記載の発明によれば、不用意に回動しないように、傾斜状態に保持することができる。
すなわち、請求項１に記載の発明によれば、ナットを傾斜状態に保持しているので、上記した従来の留め具のガイド斜面が不要となり、ボルトによりナットを押すことで、ナットを回転させることができる。また、請求項１に記載の発明によれば、ナットを傾斜状態に保持しているので、上記した従来の留め具と比較してナットの回動範囲が少なくて済み、上記した従来の留め具の軸部が不要となり、構造を簡便にでき、既存のナットを利用することが可能となる。
（請求項２）
請求項２に記載の発明は、上記した請求項１に記載の発明の目的に加え、次の点を目的とする。
【０００７】
すなわち、請求項２に記載の発明は、係止爪により、構造物の開口部から基部の抜けを防止することができるようにしたものである。
また、請求項２に記載の発明によれば、係止爪を開口部の開口縁に弾性的に当接させることにより、構造物の中空部内、すなわち構造物の長手方向に基部が移動するのを防止することができる。
（請求項３）
請求項３に記載の発明は、上記した請求項１又は請求項２に記載の発明の目的に加え、次の点を目的とする。
【０００８】
すなわち、請求項３に記載の発明は、操作摘みを使用して、構造物の中空部内、すなわち構造物の長手方向に基部を移動することができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、ナットが揺動する際に、制動部にナットを弾性的に当接させることで、ナットがボルトの軸線からずれ、雄ネジ部とナットの雄ネジ部とが螺合しなくなることを未然に防止することができるようにしたものである。
（請求項５）
請求項５に記載の発明は、上記した請求項１〜４のいずれか１項に記載の発明の目的に加え、次の点を目的とする。
【００１０】
すなわち、請求項５に記載の発明は、仮止め部により傾斜状態に仮止めすることで、ナットが不用意に回動するのを未然に防止することができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、例えば図３に示すように、断面略Ｃ字状の構造物（例えばＣ形鋼30）に相手部材（例えば太陽電池モジュール40）を固定するための留め具(10)である。
第２に、留め具(10)は、例えば図１、図３及び図５に示すように、構造物（例えばＣ形鋼30）の開口部(31)から挿入し、短辺(b1)が開口部(31)の幅(a1)より短い基部(80)と、基部(80)内に挿入され、外周の直径(c1)が開口部(31)の幅(a1)より長く、内周に雌ネジ部(91)を有したナット(90)とからなる。
【００１３】
第３に、基部(80)は、例えば図１に示すように、ナット(90)及び雄ネジ部（例えばボルト60）の挿入を可能とする開放部(101)を備える。
第４に、ナット(90)は、例えば図１に示すように、基部(80)の開放部(101)から挿入後、構造物（例えばＣ形鋼30）の開口部(31)を通過可能な傾斜状態に保持された状態で、構造物（例えばＣ形鋼30）内の中空部(32)内に挿入される。
【００１４】
これに加え、ナット(90)は、例えば図３、図４、図６及び図７に示すように、構造物（例えばＣ形鋼30）の開口部(31)を通して、基部(80)の開放部(101)側から雄ネジ部（例えばボルト60）を挿入することにより、開口部(31)と平行に揺動して、雌ネジ部(91)が開口部(31)に臨む。
さらに、ナット(90)は、例えば図３、図１０及び図１３に示すように、雄ネジ部（例えばボルト60）のねじ込み操作により、当該雄ネジ部（例えばボルト60）と雌ネジ部(91)が螺合し、相手部材（例えば太陽電池モジュール40）を固定する。
（請求項２）
請求項２に記載の発明は、上記した請求項１に記載の発明の特徴点に加え、次の点を特徴とする。
【００１５】
すなわち、基部(80)の外周面には、例えば図１に示すように、構造物（例えばＣ形鋼30）の開口部(31)の開口縁に係止する係止爪(124,134)を備えた。
（請求項３）
請求項３に記載の発明は、上記した請求項１又は請求項２に記載の発明の特徴点に加え、次の点を特徴とする。
【００１６】
すなわち、基部(80)には、例えば図１に示すように、当該基部(80)を構造物（例えばＣ形鋼30）の中空部(32)内に挿入した状態で、開口部(31)に臨む操作摘み(140)を備えた。
（請求項４）
請求項４に記載の発明は、上記した請求項１〜３のいずれか１項に記載の発明の特徴点に加え、次の点を特徴とする。
【００１７】
すなわち、基部(80)には、例えば図１、図７及び図８に示すように、ナット(90)が揺動する際に弾性的に当接する制動部(123,133)を備えた。
（請求項５）
請求項５に記載の発明は、上記した請求項１〜４のいずれか１項に記載の発明の特徴点に加え、次の点を特徴とする。
【００１８】
すなわち、基部(80)の内側面には、例えば図１、図５及び図２９に示すように、ナット(90)を傾斜状態に仮止めする仮止め部(121,131)を備えた。
【発明の効果】
【００１９】
本発明は、以上のように構成されているので、以下に記載されるような効果を奏する。（請求項１）
請求項１に記載の発明によれば、次のような効果を奏する。
すなわち、請求項１に記載の発明によれば、構造物の開口部を通過可能な傾斜状態にナットを保持した基部を構造物の開口部から挿入した上、当該開口部から雄ネジ部を挿入することで、ナットを開口部と平行に揺動した上、当該ナットの雌ネジ部に雄ネジ部をねじ込むことができる。
（請求項２）
請求項２に記載の発明によれば、上記した請求項１に記載の発明の効果に加え、次のような効果を奏する。
【００２０】
すなわち、請求項２に記載の発明によれば、係止爪により、構造物の開口部から基部の抜けを防止することができる。
また、請求項２に記載の発明によれば、係止爪を開口部の開口縁に弾性的に当接させることにより、構造物の中空部内、すなわち構造物の長手方向に基部が移動するのを防止することができる。
（請求項３）
請求項３に記載の発明によれば、上記した請求項１又は請求項２に記載の発明の効果に加え、次のような効果を奏する。
【００２１】
すなわち、請求項３に記載の発明によれば、操作摘みを使用して、構造物の中空部内、すなわち構造物の長手方向に基部を移動することができる。
（請求項４）
請求項４に記載の発明によれば、上記した請求項１〜３のいずれか１項に記載の発明の効果に加え、次のような効果を奏する。
【００２２】
すなわち、請求項４に記載の発明によれば、ナットが揺動する際に、制動部にナットを弾性的に当接させることで、ナットがボルトの軸線からずれ、雄ネジ部とナットの雄ネジ部とが螺合しなくなることを未然に防止することができる。
（請求項５）
請求項５に記載の発明によれば、上記した請求項１〜４のいずれか１項に記載の発明の効果に加え、次のような効果を奏する。
【００２３】
すなわち、請求項５に記載の発明によれば、仮止め部により傾斜状態に仮止めすることで、ナットが不用意に回動するのを未然に防止することができる。
【図面の簡単な説明】
【００２４】
【図１】留め具の斜視図である。
【図２】留め具の取付位置を説明するための分解斜視図、並びに支持金具の取付状態を説明するための一部斜視図である。
【図３】留め具の取付状態を説明するための一部断面にした斜視図である。
【図４】留め具にボルトを挿入する際の斜視図である。
【図５】ナットの取付状態を説明するための基部の一部を断面にした斜視図である。
【図６】ボルトを挿入した状態の留め具の斜視図である。
【図７】ボルトを挿入した状態の基部の一部を断面にした斜視図である。
【図８】ボルトを挿入した状態のナットの揺動を説明するための基部の一部断面図である。
【図９】ボルトを挿入した状態のナットの揺動を説明するための基部の他の一部断面図である。
【図１０】ボルトとナットとの螺合状態を説明するための斜視図である。
【図１１】ナットの巻き上げ状態を説明するための基部の一部を断面にした斜視図である。
【図１２】ナットの巻き上げ状態を説明するための他の基部の一部を断面にした斜視図である。
【図１３】ナットの巻き上げ状態を説明するための留め具の斜視図である。
【図１４】基部の正面図である。
【図１５】基部の背面図である。
【図１６】基部の一部平面図である。
【図１７】基部の背面図である。
【図１８】基部の左側面図である。
【図１９】基部の右側面図である。
【図２０】図１４のＡ−Ａ線に沿う断面図である。
【図２１】図１４のＢ−Ｂ線に沿う断面図である。
【図２２】図１５のＣ−Ｃ線に沿う断面図である。
【図２３】図１６のＤ−Ｄ線に沿う断面図である。
【図２４】図１６のＥ−Ｅ線に沿う断面図である。
【図２５】図１５のＦ−Ｆ線に沿う断面図である。
【図２６】留め具の正面図である。
【図２７】留め具の右側面図である。
【図２８】図２６のＧ−Ｇ線に沿う断面図である。
【図２９】図２７のＨ−Ｈ線に沿う断面図である。
【発明を実施するための形態】
【００２５】
（留め具10）
図１中、10は、留め具を示し、図２に示すように、例えば屋根（瓦20）に設置される長尺なＣ形鋼30等の構造物に、太陽電池モジュール40等の相手部材を固定するためのものである。
具体的には、図２に示すように、瓦20に支持金具50を複数個取り付け、支持金具50に対し、縦桟30aを渡らせて複数本固定し、更に、縦桟30aに対し、Ｃ形鋼30である横桟30bを渡らせて複数本固定する。最後に、留め具10を使用して、横桟30bに対し、太陽電池モジュール40を渡らせて複数枚固定する。
【００２６】
なお、瓦20に支持金具50を介して縦桟30aを固定したが、これに限定されず、図示しないが、支持金具が固定されたいわゆる支持瓦を使用し、支持瓦に対して縦桟30aを固定しても良い。また、瓦20を使用した屋根を例示したが、これに限定されず、図示しないが、瓦20を使用しない屋根でも良い。
さらに、縦桟30aと横桟30bとを組んで、太陽電池モジュール40を固定したが、縦桟30aと横桟30bとのいずれか一方のみを使用しても良い。
【００２７】
また、太陽電池モジュール40の取付位置として、屋根（瓦20）を例示したが、これに限定されない。また、相手部材として、太陽電池モジュール40を例示したが、これに限定されず、太陽熱の集熱器、緑化設備、看板等でも良い。
一方、Ｃ形鋼30は、図３に示すように、断面略Ｃ字状に形成され、溝形鋼（チャンネル）の開口部31を内側に少し折り込んでアルファベットの「Ｃ」を四角く押しつぶしたような形状の断面を持つ長尺な鋼材から構成されている。Ｃ形鋼30は、上面に開口部31を有し、内部に中空部32を有する。そして、Ｃ形鋼30の開口部31の幅a1より中空部32の内部の幅b2が幅広になっている。
【００２８】
Ｃ形鋼30と留め具10との間には、図３に示すように、留め具10の後述するナット90にねじ込む雄ネジ部を有するボルト60と、当該ボルト60の軸部61が通る、後述する貫通孔71を有するブラケット70とを備える。
ボルト60は、図３及び図４に示すように、金属製であり、雄ネジ部を有し、ブラケット70の後述する貫通孔71を通る軸部61と、貫通孔71の内径より大きな外径を有する頭部62とを有する。
【００２９】
なお、ボルト60として、金属製のものを例示したが、これに限定されず、樹脂製のものでも良い。
ブラケット70は、図３に示すように、太陽電池モジュール40を取り付けるためのものであり、金属製で、貫通孔71は表裏面に円形に貫通している。
なお、ブラケット70として、金属製のものを例示したが、これに限定されず、樹脂製のものでも良い。
【００３０】
留め具10は、大別すると、図１に示すように、次のパーツを備える。
なお、次の（１）及び（２）については、後述する。
（１）基部80
（２）ナット90
なお、留め具10のパーツは、上記した（１）及び（２）に限定されない。
（基部80）
基部80は、図１及び図３に示すように、Ｃ形鋼30の開口部31から挿入し、短辺b1が開口部31の幅a1より短いものである。基部80は、適度な弾性と剛性とを有する樹脂により一体的に形成する。
【００３１】
また、基部80の高さb2は、Ｃ形鋼30の中空部32の内部の高さa3以下、例えば高さa3にほぼ等しく設定している。
具体的には、基部80には、図１及び図１４〜２５に示すように、大別すると、次の各部を備える。
なお、次の（１）〜（４）については、後述する。
【００３２】
（１）ナット保持部100
（２）底壁110
（３）側壁120,130
（４）操作摘み140
なお、基部80の各部は、上記した（１）〜（４）に限定されない。
（ナット90）
ナット90は、図３及び図５に示すように、基部80内に挿入され、外周の直径c1が開口部31の幅a1より長く、内周に雌ネジ部91を有したものである。ナット90は、市販の金属製の六角ナットが使用されている。
【００３３】
なお、ナット90として、金属製のものを例示したが、これに限定されず、樹脂製のものでも良い。
ナット90は、図１及び図３に示すように、基部80の開放部101から挿入後、Ｃ形鋼30の開口部31を通過可能な傾斜状態に保持された状態で、Ｃ形鋼30内の中空部32内に挿入される。
【００３４】
これに加え、ナット90は、図３、図４、図６及び図７〜９に示すように、Ｃ形鋼30の開口部31を通して、基部80の開放部101側からボルト60を挿入することにより、開口部31と平行に揺動して、雌ネジ部91が開口部31に臨む。
さらに、ナット90は、図３、図１０及び図１３に示すように、ボルト60のねじ込み操作により、当該ボルト60と雌ネジ部91が螺合し、ブラケット70を介して太陽電池モジュール40を固定する。
（ナット保持部100）
ナット保持部100は、図１、図２６、図２８及び図２９に示すように、開放部101から挿入されたナット90を保持するものである。
【００３５】
具体的には、ナット保持部100は、図１、図１４及び図１５に示すように、凹状に形成され、後述する底壁110と、Ｃ形鋼30の長手方向に対向する一対の側壁120,130とから三方が囲まれた内側に形成されている。開放部101は、上面、及び基部80の短辺b1の方向の両側面が開放している。
（底壁110）
底壁110は、図１、図１４及び図１５に示すように、ナット保持部100の底に位置する。
【００３６】
底壁110の上面には、図５、図７、図８、図２０及び図２８に示すように、ナット90の外周の下側を傾斜させた状態で支持する凸状の支持部111を設けている。
支持部111は、基部80の短辺b1の方向に離れて山形に突出した大小２個の小突起112と大突起113とからなる。小さく山形に突出した小突起112は、その斜面によりナット90の角部を傾斜させた状態で支持するものである。大きく山形に突出した大突起113は、ナット90を挿入する際のガイドとして機能する。すなわち、ナット90は、小突起112のみにより傾斜状態に保持しているものである。
（側壁120,130）
側壁120,130は、図１、図１４及び図１５に示すように、底壁110のＣ形鋼30の長手方向の前後から上方に延び、ナット保持部100を挟んで対向する。
【００３７】
具体的には、側壁120,130には、図１、図１４〜２５に示すように、次の各部を備える。
なお、次の（１）〜（４）については、後述する。
（１）仮止め部121,131
（２）ガイド部122,132
（３）制動部123,133
（４）係止爪124,134
なお、側壁120,130の各部は、上記した（１）〜（４）に限定されない。
（操作摘み140）
操作摘み140は、図１、図１４及び図１５に示すように、基部80をＣ形鋼30の中空部32内に挿入した状態で、図示しないが、開口部31に臨むものである。
【００３８】
具体的には、操作摘み140は、側壁120,130の一方から、Ｃ形鋼30の長手方向に延び、上方に向かってＬ字形に折れ曲がっている。操作摘み140は、図示しないが、基部80をＣ形鋼30の中空部32内に挿入した状態で、開口部31から上方に突出する。
なお、操作摘み140は、側壁120,130の一方に設けたが、これに限定されず、基部80の他の箇所に設けても良い。また、操作摘み140を、１個設けたが、これに限定されず、複数個設けても良い。さらに、操作摘み120を開口部31から上方に突出させたが、これに限定せず、開口部31に面していたり、開口部31から引っ込んでいても良く、この場合には、指や治具等を開口部31から差し込んで、操作摘み120をスライドするようにしても良い。
（仮止め部121,131）
仮止め部121,131は、図１、図５、図２０、図２１及び図２９に示すように、側壁120,130の相対向した内側面に凹状に形成され、ナット90を傾斜状態に仮止めするためのものである。
【００３９】
仮止め部121,131は、ナット90の傾斜に合わせて傾斜した溝状であり、ナット90の外周の一部がはまり込む。
なお、仮止め部121,131を一対設けたが、これに限定されず、単数或いは３個以上設けても良い。
（ガイド部122,132）
ガイド部122,132は、図１、図４及び図１６〜１６に示すように、開放部101の開放上面に位置し、ボルト60の軸部61の挿入方向を規制するためのものである。ガイド部122,132は、側壁120,130の相対向した内側面から相対向して一対突出する。
ガイド部122,132の厚み、すなわちボルト60の挿入方向の厚みは、Ｃ形鋼30の肉厚より薄く設定されている。
すなわち、Ｃ形鋼30の肉厚が厚いため、図３に示すように、ナット90が巻き上げられると、開口部31に向かって相対向して断面Ｌ字形に折れ曲がったＣ形鋼30の端部の内面、すなわち図３において下面がナット90の上面に当接する。ナット90の上面がＣ形鋼30の端部の下面に当接した状態において、ガイド部122,132の厚みが薄いため、ナット90の上面は、ガイド部122,132の図１３において下面から離れて位置する。なお、図３と図１３とを比較すると、基部80の向きを９０度異ならせている。
【００４０】
また、ガイド部122,132を一対設けたが、これに限定されず、単数或いは３個以上設けても良い。
（制動部123,133）
制動部123,133は、図１、図７及び図８に示すように、ナット90が揺動する際に弾性的に当接するものである。
【００４１】
具体的には、制動部123,133は、一対形成され、上端部が側壁120,130にそれぞれ連接し、下方に向かって棒状に延びている。
制動部123,133は、ナット90が傾斜状態から開口部31と平行に倒れるように揺動する際に、ナット90の外周に押されて、図７及び図８に示すように、側壁120,130にそれぞれ連接する上端部を中心に、基部80の短辺b1の外方に向かって撓む。このため、ナット90がゆっくりと且つスムーズに倒れるように揺動する。また、制動部123,133が一対有ることから、ナット90が揺動する際に、よじれることなく、平行に倒れる。
【００４２】
なお、制動部123,133を一対設けたが、これに限定されず、単数或いは３個以上設けても良い。
（係止爪124,134）
係止爪124,134は、図１及び図１４〜１９に示すように、基部80の外周面に形成され、Ｃ形鋼30の開口部31の開口縁に係止するものである。
【００４３】
具体的には、係止爪124,134は、側壁120,130の短辺b1の方向の左右の外側面から外向きにそれぞれ突出し、四方に配置され、計４個設けられている。係止爪124,134は、開口部31を通過する際に、その内縁に押されて内向きにたわみ込むことで、開口部31を通過し、通過後、弾性的に復元することで、開口部31からの基部80の抜けを防止する。
一方、基部80の高さb2が、Ｃ形鋼30の中空部32の内部の高さa3にほぼ等しく設定されていることから、基部80が中空部32内にはまり込むと、図３に示すように、その底が中空部32の底に載る。このため、係止爪124,134が、開口部31を通過後、復元した際に開口部31の両側の内面に弾性的に当接することで、基部80がＣ形鋼30の長手方向に移動するのを防止している。
【００４４】
なお、係止爪124,134を４個設けたが、これに限定されず、単数、２個、３個或いは５個以上も設けても良い。
（留め具10の取付方法）
つぎに、上記した構成を備えた留め具10を用いて、図３に示すように、構造物であるＣ形鋼30に対し、相手部材である太陽電池モジュール40を取り付けるためのブラケット70をボルト60を使用して固定する取付方法について説明する。
（留め具10の組み立て）
まず、図１、図２６、図２８及び図２９に示すように、基部80の開放部101からナット90を斜めに挿入して留め具10を組み立てる。
【００４５】
ナット90を斜めに挿入すると、その外周の下側が凸状の支持部111に支持され、外周の両側が凹状の仮止め部121,131にはまり込み、ナット90がナット保持部100に傾斜状態で保持される。
（Ｃ形鋼30への留め具10の仮止め）
つぎに、組み立てた留め具10を、図３に示すように、Ｃ形鋼30の開口部31に合わせて挿入することで、留め具10をＣ形鋼30に対して仮止めする。
【００４６】
すなわち、開口部31の幅a1と、留め具10の基部80の短辺b1とが一致する向きとし、基部80を開口部31に合わせて上方から挿入する。基部80を挿入すると、その短辺b1の方向に外向きに突出する係止爪124,134が、開口部31の内縁に当接する。
ここで、基部80を強く挿入すると、開口部31の内縁に押されて、係止爪124,134が内向きにたわみ込むことで、開口部31を通過し、通過後、弾性的に復元することで、開口部31からの基部80の抜けを防止する。
【００４７】
また、このとき、基部80が中空部32内にはまり込むと、その底が中空部32の底に載り、開口部31の両側の内面に係止爪124,134が弾性的に当接することで、基部80がＣ形鋼30の長手方向に移動するのを防止する。
さらに、基部80の操作摘み140は、図示しないが、開口部31から上方に突出する。このため、操作摘み140を摘んで、Ｃ形鋼30の長手方向に沿って、基部80をスライドさせることで、後述するブラケット70を取り付ける位置決めを行うことができる。
（Ｃ形鋼30へのブラケット70の取り付け）
つぎに、Ｃ形鋼30に取り付けた留め具10を使用して、図３に示すように、Ｃ形鋼30に対してブラケット70を取り付ける。
【００４８】
まず、ブラケット70の貫通孔71に、ボルト60の軸部61を通し、貫通孔71から突出した軸部61を、Ｃ形鋼30の開口部31を通し、留め具10の開放部101に挿入する。
ボルト60の軸部61を挿入すると、図４に示すように、その先端部がナット90の傾斜した上側の面に当接する。
ここで、軸部61を強く挿入すると、その先端部に押され、図６〜９に示すように、ナット90がナット保持部100の底壁110に向かって倒れ込む。
【００４９】
このとき、ナット90の外周に押されて、図７及び図８に示すように、制動部123,133が撓むことで、ナット90がゆっくりと且つスムーズに倒れるように揺動する。
ナット90が倒れると、雌ネジ部91が開口部31に臨み、ボルト60の軸部61の軸心と、雌ネジ部91の中心とが一致する。
このため、ボルト60をねじ込むと、図１０及び図１３に示すように、軸部61が雄ねじ部（例えばボルト60）と雌ネジ部(91)が螺合する。
【００５０】
ボルト60を更にねじ込むと、図３、図１０〜１３に示すように、ナット90が中空部32内で上昇し、開口部31の外縁に位置する内面に当接し、ナット90、Ｃ形鋼30、ブラケット70、ボルト60の頭部62の４個の金属製の部品が互いに密着し、Ｃ形鋼30に対してブラケット70が固定される。
【符号の説明】
【００５１】
10  留め具
20  瓦
30  Ｃ形鋼（構造物）
30a 縦桟                            30b 横桟
31  開口部                            a1  開口部の幅
32  中空部
a2  中空部の内部の幅                  a3  中空部の内部の深さ
40  太陽電池モジュール（相手部材）    50  支持金具
60  ボルト（雄ネジ部）
61  軸部                              62  頭部
70  ブラケット                        71  貫通孔
80  基部
b1  基部の短辺                          b2  基部の高さ
90  ナット                              91  雌ネジ部
c1  ナットの外周の直径                  c2  ナットの厚み
100  ナット保持部                       101  開放部
110  底壁                               111  支持部（凸状）
112  小突起                             113  大突起
120,130  側壁
121,131  仮止め部（凹状）               122,132  ガイド部
123,133  制動部                         124,134  係止爪
140  操作摘み
【図１】
2011163476.tif 000003
【図２】
2011163476.tif 000004
【図３】
2011163476.tif 000005
【図４】
2011163476.tif 000006
【図５】
2011163476.tif 000007
【図６】
2011163476.tif 000008
【図７】
2011163476.tif 000009
【図８】
2011163476.tif 000010
【図９】
2011163476.tif 000011
【図１０】
2011163476.tif 000012
【図１１】
2011163476.tif 000013
【図１２】
2011163476.tif 000014
【図１３】
2011163476.tif 000015
【図１４】
2011163476.tif 000016
【図１５】
2011163476.tif 000017
【図１６】
2011163476.tif 000018
【図１７】
2011163476.tif 000019
【図１８】
2011163476.tif 000020
【図１９】
2011163476.tif 000021
【図２０】
2011163476.tif 000022
【図２１】
2011163476.tif 000023
【図２２】
2011163476.tif 000024
【図２３】
2011163476.tif 000025
【図２４】
2011163476.tif 000026
【図２５】
2011163476.tif 000027
【図２６】
2011163476.tif 000028
【図２７】
2011163476.tif 000029
【図２８】
2011163476.tif 000030
【図２９】
2011163476.tif 000031